(57)【要約】【課題】コストの上昇を抑えつつ、ハイバネーションを行うことが可能な画像形成装置を提供する。【解決手段】画像形成装置は、設定条件データを記憶する不揮発性のＨＤＤ８１と、設定条件データを一時的に記憶する揮発性のＲＡＭ８２と、所定の動作を行う動作部と、動作部において所定の動作が行われたか否かを判断する第１判断部９１と、第１判断部９１において所定の動作が行われたと判断された場合に、ＲＡＭ８２に設定条件データが記憶されているか否かを判断する第２判断部９２と、第２判断部９２によりＲＡＭ８２に設定条件データが記憶されていると判断された場合に、ＲＡＭ８２から設定条件データを読み出してＨＤＤ８１に書き込む読出書込部９３と、を備える。【選択図】図２
2015195480.tif 000002
【特許請求の範囲】
【請求項１】
設定条件データを記憶する不揮発性の第１記憶部と、
設定条件データを一時的に記憶する揮発性の第２記憶部と、
所定の動作を行う動作部と、
前記動作部において所定の動作が行われたか否かを判断する第１判断部と、
前記第１判断部において所定の動作が行われたと判断された場合に、前記第２記憶部に設定条件データが記憶されているか否かを判断する第２判断部と、
前記第２判断部により前記第２記憶部に設定条件データが記憶されていると判断された場合に、前記第２記憶部から設定条件データを読み出して前記第１記憶部に書き込む読出書込部と、
を備える画像形成装置。
【請求項２】
前記読出書込部により前記第２記憶部から読み出された設定条件データの全てが前記第１記憶部に書き込まれたか否かを判断する第３判断部を備え、
前記第１記憶部は、第１記憶領域と第２記憶領域とを備え、
前記読出書込部は、前記第２判断部によって前記第２記憶部に設定条件データが記憶されたと判断される毎に前記第１記憶領域と前記第２記憶領域とを交互に切り替えて、前記第１記憶領域と前記第２記憶領域とのうちの一方に設定条件データを書き込み、且つ、前記第３判断部によって前記第１記憶部を構成する前記第１記憶領域と前記第２記憶領域とのうちのいずれか一方に設定条件データの全てが記憶されたと判断された場合に、前記第１記憶領域と前記第２記憶領域とのうちいずれか一方に記憶された設定条件データに、その設定条件データの全てが記憶されたことを示す記憶完了情報を付す
請求項１に記載の画像形成装置。
【請求項３】
前記動作部に電力を供給することが可能な電源部を備え、
前記電源部からの電力の供給がオフにされた後、前記電源部からの電源の供給がオンにされたときに、前記読出書込部は、前記記憶完了情報が付されている設定条件データを第１記憶部から読み出して第２記憶部に書き込む
請求項２に記載の画像形成装置。
【請求項４】
第１記憶領域と第２記憶領域のそれぞれに前記記憶完了情報が付された設定条件データが記憶されている場合、前記読出書込部は、第１記憶部に記憶された順番が新しい方の設定条件データを第１記憶部から読み出して第２記憶部に書き込む
請求項３に記載の画像形成装置。
【請求項５】
前記動作部として、
原稿の画像を読み取る原稿読取部と、
被画像形成媒体に画像を形成するエンジン部と、
外部端末との間でデータの送受信を行うためのインターフェイス部と、を備え、
前記所定の動作は、前記原稿読取部による原稿の画像の読み取り、前記エンジン部による被画像形成媒体への画像の形成、前記インターフェイス部を介したデータの送信、及び、前記インターフェイス部を介したデータの受信のうちの少なくとも１つの動作である
請求項１から４のいずれか１項に記載の画像形成装置。
【請求項６】
前記設定条件データは、ジョブリテンション、ダウンロードフォント、マクロデータ、スクリーン、γテーブル、ジョブログのうちの少なくとも１つのデータである
請求項１から５のいずれか１項に記載の画像形成装置。
【発明の詳細な説明】
【技術分野】
【０００１】
本発明は、用紙等の被画像形成媒体に画像を形成する画像形成装置に関する。
【背景技術】
【０００２】
複合機やコピー機等の画像形成装置は、省エネルギー化を図ることを目的として、一定時間操作や動作が行われない場合にスリープモードに移行して、特定部分に対しての電力の供給を停止する。特に、上述した特定部分の中でもＣＰＵ（Ｃｅｎｔｒａｌ  Ｐｒｏｃｅｓｓｉｎｇ  Ｕｎｉｔ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やメモリーといったＩＣ（Ｉｎｔｅｇｒａｔｅｄ  Ｃｉｒｃｕｉｔ）には、大きな電力が供給される。このため、消費電力を低減するために、画像形成装置の電源は、オフにされる。しかしながら、画像形成装置は、スリープモードから通常モードに復帰する場合には時間がかかるため、ユーザに対する利便性を損なわせるようになっていた。
【０００３】
ところで、コンピュータにおいては、ＣＰＵやＡＳＩＣに対する電力の供給を停止した状態（スリープモード）から通常モードに高速に復帰させるために、ハイバネーションという技術が利用されている。例えば、コンピュータは、所定のサンプリングタイミングで電池の残容量を検出し、その残容量が所定の容量よりも小さい場合に、ハイバネーションを行うようになっている（特許文献１を参照）。
また、例えば、コンピュータは、ハイバネーションを行うために、正常に動作しているかを定期的に確認し、動作に異常がある場合には、ハイバネーションイメージを記憶部に記憶して、システムを終了させるようになっている（特許文献２を参照）。
【先行技術文献】
【特許文献】
【０００４】
【特許文献１】特開２００１−２８３９３６号公報
【特許文献２】特開２００２−９９４４４号公報
【発明の概要】
【発明が解決しようとする課題】
【０００５】
上述した特許文献１，２に記載された発明は、コンピュータにおいてハイバネーションを行うものである。コンピュータは、シャットダウン操作が行われた後に、電源をオフにするようになっている。このため、コンピュータは、ハイバネーションを行うために、シャットダウン動作時にデータを記憶部に記憶させることが可能である。
【０００６】
一方、画像形成装置は、電源スイッチが操作された場合に、シャットダウン動作を行うことなく電源をオフにするようになっている。このため、画像形成装置は、電源をオフにする前に、ハイバネーションを行うためのデータの記憶を行うことはできない。なお、シャットダウン動作を行って、ハイバネーションのためにデータを記憶部に記憶させるよう画像形成装置を構成した場合、すなわち、ハイバネーションを行うために、コンピュータと同様に画像形成装置を構成した場合には、その画像形成装置は、コストが上昇する。
【０００７】
本発明は、コストの上昇を抑えつつ、ハイバネーションを行うことが可能な画像形成装置を提供することを目的とする。
【課題を解決するための手段】
【０００８】
本発明は、設定条件データを記憶する不揮発性の第１記憶部と、設定条件データを一時的に記憶する揮発性の第２記憶部と、所定の動作を行う動作部と、前記動作部において所定の動作が行われたか否かを判断する第１判断部と、前記第１判断部において所定の動作が行われたと判断された場合に、前記第２記憶部に設定条件データが記憶されているか否かを判断する第２判断部と、前記第２判断部により前記第２記憶部に設定条件データが記憶されていると判断された場合に、前記第２記憶部から設定条件データを読み出して前記第１記憶部に書き込む読出書込部と、を備える画像形成装置に関する。
【０００９】
画像形成装置は、前記読出書込部により前記第２記憶部から読み出された設定条件データの全てが前記第１記憶部に書き込まれたか否かを判断する第３判断部を備え、前記第１記憶部は、第１記憶領域と第２記憶領域とを備え、前記読出書込部は、前記第２判断部によって前記第２記憶部に設定条件データが記憶されたと判断される毎に前記第１記憶領域と前記第２記憶領域とを交互に切り替えて、前記第１記憶領域と前記第２記憶領域とのうちの一方に設定条件データを書き込み、且つ、前記第３判断部によって前記第１記憶部を構成する前記第１記憶領域と前記第２記憶領域とのうちのいずれか一方に設定条件データの全てが記憶されたと判断された場合に、前記第１記憶領域と前記第２記憶領域とのうちいずれか一方に記憶された設定条件データに、その設定条件データの全てが記憶されたことを示す記憶完了情報を付す。
【００１０】
また、画像形成装置は、前記動作部に電力を供給することが可能な電源部を備え、前記電源部からの電力の供給がオフにされた後、前記電源部からの電源の供給がオンにされたときに、前記読出書込部は、前記記憶完了情報が付されている設定条件データを第１記憶部から読み出して第２記憶部に書き込むことが好ましい。
【００１１】
また、第１記憶領域と第２記憶領域のそれぞれに前記記憶完了情報が付された設定条件データが記憶されている場合、前記読出書込部は、第１記憶部に記憶された順番が新しい方の設定条件データを第１記憶部から読み出して第２記憶部に書き込むことが好ましい。
【００１２】
また、画像形成装置は、前記動作部として、原稿の画像を読み取る原稿読取部と、被画像形成媒体に画像を形成するエンジン部と、外部端末との間でデータの送受信を行うためのインターフェイス部と、を備え、前記所定の動作は、前記原稿読取部による原稿の画像の読み取り、前記エンジン部による被画像形成媒体への画像の形成、前記インターフェイス部を介したデータの送信、及び、前記インターフェイス部を介したデータの受信のうちの少なくとも１つの動作であることが好ましい。
【００１３】
また、前記設定条件データは、ジョブリテンション、ダウンロードフォント、マクロデータ、スクリーン、γテーブル、ジョブログのうちの少なくとも１つのデータである
ことが好ましい。
【発明の効果】
【００１４】
本発明は、コストの上昇を抑えつつ、ハイバネーションを行うことが可能な画像形成装置を提供することができる。
【図面の簡単な説明】
【００１５】
【図１】画像形成装置の一実施形態に係るコピー機の全体構成を説明するための図である。
【図２】コピー機の機能構成を示すブロック図である。
【図３】コピー機１の動作について説明するためのフローチャートである。
【発明を実施するための形態】
【００１６】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１７】
コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１８】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。原稿読取部２０は、所定の動作を行う動作部の一例となる。
【００１９】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００２０】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００２１】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００２２】
画像形成部４０は、感光体ドラム４１と、帯電部４２と、レーザースキャナユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナユニット４３と、現像器４４と、クリーニング部４５とが配置される。帯電部４２は、感光体ドラム４１の表面を帯電させる。レーザースキャナユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２３】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２４】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２５】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２６】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。エンジン部３は、所定の動作を行う動作部の一例となる。なお、図１を用いて説明した構成要素については、その説明を省略する。
さらに、コピー機１は、上述した機能構成に加えて、操作部７０と、記憶部８０と、インターフェイス１００と、電源部１１０と、制御部９０とを備える。
【００２７】
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作される。スタートキーは、印刷を実行させるために操作される。操作部７０は、いずれかのキーが操作されることにより、このキーが操作されたことを表す信号を制御部９０に供給する。
【００２８】
記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。また、記憶部８０は、第１記憶部としてのハードディスク（ＨＤＤ：Ｈａｒｄ  Ｄｉｓｋ  Ｄｒｉｖｅ）８１と、第２記憶部としてのＲＡＭ（Ｒａｎｄｏｍ  Ａｃｃｅｓｓ  Ｍｅｍｏｒｙ）８２とを備える。ＨＤＤ８１は、設定条件データを記憶する不揮発性の記憶部である。ＨＤＤ８１は、第１記憶領域８１１と、第２記憶領域８１２とを備える。ＲＡＭ８２は、設定条件データを一時的に記憶する揮発性の記憶部である。
【００２９】
ここで、設定条件データとは、例えば、ジョブリテンション、ダウンロードフォント、マクロデータ、スクリーン、γテーブル、ジョブログ等のデータのことである。
ジョブリテンションとは、画像データがＲＡＭ８２に記憶され、その後、操作部７０が操作されることに基づいて、画像データに基づく画像をエンジン部３によって用紙Ｔに形成する機能のことである。したがって、この場合、ＲＡＭ８２に記憶されるジョブリテンションのデータは、画像データである。
また、ダウンロードフォントとは、後述するインターフェイス１００を介して接続される外部端末（図示せず）からダウンロードされるフォントのことである。
また、マクロデータとは、コピー機１の処理の手順をまとめたデータのことである。
また、スクリーンとは、レーザースキャナユニット４３から照射されるレーザー光によって感光体ドラム４１にドットを形成する場合の、レーザー光の照射の設定のことである。
また、γテーブルとは、画像データに基づく画像に対して画像処理（γ補正）を行う場合に利用されるデータのことである。
また、ジョブログとは、用紙Ｔに画像を形成させた後に作成される記録のことである。
【００３０】
インターフェイス（インターフェイス部）１００には、通信ネットワーク（図示せず）が接続される。インターフェイス１００は、通信ネットワークを介して、例えば、パーソナルコンピュータ等の外部端末（図示せず）との間でデータの送受信を行う。インターフェイス１００は、所定の動作を行う動作部の一例となる。
電源部１１０は、上述した動作部を始めとする各部に電力を供給することが可能である。
【００３１】
制御部９０は、原稿搬送部１０、原稿読取部２０、エンジン部３、操作部７０等を制御する。
また、制御部９０は、第１判断部９１と、第２判断部９２と、読出書込部９３と、第３判断部９４とを備える。
【００３２】
第１判断部９１は、動作部において所定の動作が行われたか否かを判断する。ここで、動作部は、上述したように、例えば、原稿読取部２０、エンジン部３及びインターフェイス１００である。また、所定の動作は、例えば、原稿読取部２０による原稿の画像の読み取り、エンジン部３による用紙Ｔへの画像の形成、インターフェイス１００を介したデータの送信、及び、インターフェイス１００を介したデータの受信のうちの少なくとも１つの動作である。
【００３３】
第２判断部９２は、第１判断部９１において所定の動作が行われたと判断された場合に、ＲＡＭ８２に設定条件データが記憶されているか否かを判断する。すなわち、第２判断部９２は、所定の動作に伴って設定条件データがＲＡＭ８２に記憶されたか否かを判断する。
【００３４】
第３判断部９４は、読出書込部９３によりＲＡＭ８２から読み出された設定条件データの全てがＨＤＤ８１に書き込まれたか否かを判断する。すなわち、第３判断部９４は、ハイバネーションにより、ＲＡＭ８２から読み出された設定条件データがＨＤＤ８１に書き込まれた場合に、移動対象の設定条件データの全てがＨＤＤ８１に書き込まれたか否かを判断する。
【００３５】
読出書込部９３は、第２判断部９２によりＲＡＭ８２に設定条件データが記憶されていると判断された場合に、ＲＡＭ８２から設定条件データを読み出してＨＤＤ８１に書き込む。この場合、読出書込部９３は、ＲＡＭ８２に記憶される全ての設定条件データをＨＤＤ８１に書き込んでもよく、所定の動作に伴ってＲＡＭ８２に記憶された設定条件データのみをＨＤＤ８１に書き込んでもよく、又は、ＲＡＭ８２に記憶される設定条件データのうち初期設定と異なるデータのみをＨＤＤ８１に書き込んでもよい。
【００３６】
また、読出書込部９３は、第２判断部９２によってＲＡＭ８２に設定条件データが記憶されたと判断される毎に、設定条件データが書き込まれる第１記憶領域８１１と第２記憶領域８１２とを交互に切り替えて、第１記憶領域８１１と第２記憶領域８１２とのうちの一方に設定条件データを書き込むことが好ましい。この場合、読出書込部９３は、第３判断部９４によってＨＤＤ８１を構成する第１記憶領域８１１と第２記憶領域８１２とのうちのいずれか一方に設定条件データの全てが記憶されたと判断された場合に、第１記憶領域８１１と第２記憶領域８１２とのうちいずれか一方に記憶された設定条件データに、その設定条件データの全てが記憶されたことを示す記憶完了情報を付すことが好ましい。
【００３７】
例えば、読出書込部９３は、第１回目のハイバネーションにより設定条件データを第１記憶領域８１１に書き込み、第２回目のハイバネーションにより設定条件データを第２記憶領域８１２に書き込み、その後は、設定条件データが記憶される記憶領域を第１記憶領域８１１と第２記憶領域８１２とで交互に切り替えて設定条件データを記憶する。さらに、読出書込部９３は、第３判断部９４によって設定条件データの全てが第１記憶領域８１１又は第２記憶領域８１２に書き込まれたと判断された場合には、例えば、第１記憶領域８１１又は第２記憶領域８１２に書き込まれた設定条件データの特定のビットを所定の値に設定する。より具体的には、設定条件データをＲＡＭ８２からＨＤＤ８１に移動させる前に特定のビットを「０」に設定しておき、設定条件データをＲＡＭ８２からＨＤＤ８１に移動させた後に特定のビットを「１」（所定の値）に設定する。所定の値が、記憶完了情報に対応する。
【００３８】
また、読出書込部９３は、電源部１１０からの電力の供給がオフにされた後、電源部１１０からの電源の供給がオンにされたときに、記憶完了情報が付されている設定条件データをＨＤＤ８１から読み出してＲＡＭ８２に書き込む。すなわち、読出書込部９３は、電源がオフにされた後、再度電源がオンにされる場合に、ハイバネーションにより、ＨＤＤ８１に記憶されている設定条件データをＲＡＭ８２に移動させる。この場合、読出書込部９３は、特定のビットが「１」に設定されている設定条件データをＨＤＤ８１から読み出して、ＲＡＭ８２に書き込む。
【００３９】
また、読出書込部９３は、第１記憶領域８１１と第２記憶領域８１２のそれぞれに記憶完了情報が付された設定条件データが記憶されている場合、ＨＤＤ８１に記憶された順番が新しい方の設定条件データをＨＤＤ８１から読み出してＲＡＭ８２に書き込む。すなわち、例えば、第１回目のハイバネーションにより設定条件データが第１記憶領域８１１に記憶され、第２回目のハイバネーションにより設定条件データが第２記憶領域８１２に記憶され、第１記憶領域８１１及び第２記憶領域８１２のいずれに記憶される設定条件データとも特定のビットが「１」に設定されている場合には、読出書込部９３は、ＨＤＤ８１に記憶された順番が新しい、第２記憶領域８１２に記憶される設定条件データを読み出して、ＲＡＭ８２に書き込む。
【００４０】
次に、本実施形態におけるコピー機１の動作について説明する。図３は、コピー機１の動作について説明するためのフローチャートである。
【００４１】
ステップＳＴ１において、第１判断部９１は、コピー機１において所定の動作が行われたか否かを判断する。ここで、所定の動作の一例としては、原稿読取部２０による原稿の画像の読み取り、エンジン部３による用紙Ｔへの画像の形成、インターフェイス１００を介して通信ネットワーク（図示せず）に接続される外部端末（図示せず）へのデータの送信、及び、通信ネットワークに接続される外部端末（図示せず）からインターフェイス１００を介してのデータの受信のうちの少なくとも１つの動作のことである。コピー機１において所定の動作が行われていない場合（Ｎｏ）には、ステップＳＴ１の判断が再度行われる。コピー機１において所定の動作が行われた場合（Ｙｅｓ）には、処理は、ステップＳＴ２に進む。
【００４２】
ステップＳＴ２において、第２判断部９２は、設定条件データがＲＡＭ８２に記憶されたか否かを判断する。ここで、設定条件データの一例としては、ジョブリテンション、ダウンロードフォント、マクロデータ、スクリーン、γテーブル、ジョブログ等のデータである。設定条件データがＲＡＭ８２に記憶されていない場合（Ｎｏ）には、ステップＳＴ１の判断が再度行われる。設定条件データがＲＡＭ８２に記憶された場合（Ｙｅｓ）には、処理は、ステップＳＴ３に進む。
【００４３】
ステップＳＴ３において、読出書込部９３は、ＲＡＭ８２に記憶された設定条件データをＨＤＤ８１に書き込むために、設定条件データにおける特定のビットを、例えば、「０」に設定する。
【００４４】
ステップＳＴ４において、読出書込部９３は、ビットが「０」に設定された設定条件データをＲＡＭ８２から読み出して、ＨＤＤ８１に書き込む。この場合、読出書込部９３は、第１記憶領域８１１と第２記憶領域８１２とのうちの一方に設定条件データを書き込む。第１記憶領域８１１及び第２記憶領域８１２には、設定条件データが交互に書き込まれる。
【００４５】
ステップＳＴ５において、第３判断部９４は、ステップＳＴ３においてビットが「０」に設定された設定条件データの全てがＨＤＤ８１に書き込まれたか否かを判断する。設定条件データの全てがＨＤＤ８１に書き込まれていない場合（Ｎｏ）には、処理は、終了する。設定条件データの全てがＨＤＤ８１に書き込まれた場合（Ｙｅｓ）には、処理は、ステップＳＴ６に進む。
【００４６】
ステップＳＴ６において、読出書込部９３は、ＨＤＤ８１に全てが書き込まれた設定条件データにおける特定のビット（ステップＳＴ３において「０」が設定されたビット）を「１」に設定する。これにより、読出書込部９３は、その特定のビットの値が「０」であるか又は「１」であるかを判別することにより、設定条件データの全てがＲＡＭ８２からＨＤＤ８１に移動されているのか否かを判別することが可能になる。
【００４７】
ステップＳＴ６の処理の後にコピー機１の電源がオフにされ、その後、電源がオンにされた場合には、ステップＳＴ７において、読出書込部９３は、ステップＳＴ６の処理によって特定のビットが「１」に設定された設定条件データをＨＤＤ８１から読み出して、ＲＡＭ８２に書き込む。ここで、例えば、第１記憶領域８１１と第２記憶領域８１２とのうち、直前に設定条件データが書き込まれたのが第２記憶領域８１２である場合には、読出書込部９３は、第２記憶領域８１２に記憶される設定条件データを読み出して、ＲＡＭ８２に書き込む。なお、上記の例において、第２記憶領域８１２に記憶される設定条件データの特定のビットが「０」である場合には、読出書込部９３は、第１記憶領域８１１に記憶され、且つ、特定のビットが「１」に設定された設定条件データを読み出して、ＲＡＭ８２に書き込む。
【００４８】
以上説明したように、本実施形態のコピー機１によれば、以下の効果が奏される。
すなわち、本実施形態のコピー機１は、第１判断部９１により動作部が所定の動作を行ったと判断され、且つ、第２判断部９２によりＲＡＭ８２に設定条件データが記憶されていると判断された場合に、ＲＡＭ８２から設定条件データを読み出してＨＤＤ８１に書き込む。すなわち、コピー機１は、第１判断部９１と第２判断部９２との判断結果に基づいて設定条件データをＨＤＤ８１に書き込むために、シャットダウン動作を行うシステムを必要としない。このため、コピー機１は、コストの上昇を抑えつつ、ハイバネーションを行うことができる。
【００４９】
また、コピー機１は、第２判断部９２によってＲＡＭ８２に設定条件データが記憶されたと判断される毎に、設定条件データが書き込まれる第１記憶領域８１１と第２記憶領域８１２とを交互に切り替えて、第１記憶領域８１１と第２記憶領域８１２とのうちの一方に設定条件データを書き込む。さらに、コピー機１は、第３判断部９４によってＨＤＤ８１を構成する第１記憶領域８１１と第２記憶領域８１２とのうちのいずれか一方に設定条件データの全てが記憶されたと判断された場合に、第１記憶領域８１１と第２記憶領域８１２とのうちいずれか一方に記憶された設定条件データに、その設定条件データの全てが記憶されたことを示す記憶完了情報を付す。これにより、コピー機１は、記憶完了情報に基づいて、移動対象になっている設定条件データの全てがＨＤＤ８１（第１記憶領域８１１、第２記憶領域８１２）に記憶されているか否か判断することができる。
【００５０】
また、コピー機１は、記憶完了情報が付されている設定条件データをＨＤＤ８１から読み出してＲＡＭ８２に書き込む。これにより、コピー機１は、ＨＤＤ８１への書き込みが完全な設定条件データをＲＡＭ８２に書き込むので、電源がオフにされる前のＲＡＭ８２の状態に確実に戻すことができる。
【００５１】
また、コピー機１は、第１記憶領域８１１と第２記憶領域８１２とのそれぞれに記憶完了情報が付された設定条件データが記憶されている場合、ＨＤＤ８１に記憶された順番が新しい方の設定条件データをＨＤＤ８１から読み出してＲＡＭ８２に書き込む。ＨＤＤ８１に記憶された順番が新しい方の設定条件データは、コピー機１に対する最新の設定を反映している。このため、コピー機１は、ＨＤＤ８１に記憶された順番が新しい方の設定条件データをＨＤＤ８１から読み出してＲＡＭ８２に書き込むことにより、最新の設定を反映させることができる。
【００５２】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００５３】
また、本発明の画像形成装置は、上述したコピー機１に限定されることはない。すなわち、本発明の画像形成装置は、コピー機能、ファクシミリ機能、プリンター機能及びスキャナ機能を備える複合機であってもよく、ファクシミリやプリンターであってもよい。
また、本発明の画像形成装置によってトナー画像が定着される被画像形成媒体は用紙Ｔに限定されることはなく、例えば、ＯＨＰ（オーバヘッドプロジェクター）シート等のフィルムシートであってもよい。
【符号の説明】
【００５４】
１…コピー機（画像形成装置）、３…エンジン部（動作部）２０…原稿読取部、８１…ＨＤＤ（第１記憶部）、８１１…第１記憶領域、８１２…第２記憶領域、８２…ＲＡＭ（第２記憶部）、９１…第１判断部、９２…第２判断部、９３…読出書込部、９４…第３判断部、１００…インターフェイス（インターフェイス部（動作部））
【図１】
2015195480.tif 000003
【図２】
2015195480.tif 000004
【図３】
2015195480.tif 000005